(57)【特許請求の範囲】
【請求項１】
ディスクを載置する載置部と、
前記載置部を支持するベース部材と、を有し、
前記載置部は、前記ベース部材のディスク対向面に対してディスク載置面が挿排口方向が下側になるように傾斜するように支持されており、前記載置部の回転中心線と当該ベース部材のディスク対向面の交点と当該ディスク対向面の挿排口の方向の先端縁部の距離は、前記交点と挿排口の逆側の後端縁部の距離よりも短いことを特徴とするディスク再生装置。
【発明の詳細な説明】
【０００１】
【発明の属する技術分野】
本発明は、ディスク再生装置に関し、より詳細にはコンパクトディスク（ＣＤ）やビデオディスク等に記録されたデジタル情報を再生するディスク再生装置に関する。
【０００２】
【従来の技術】
従来のディスク再生装置を図を用いて説明する。
【０００３】
図５は従来のディスク再生装置の構造を示す構造図であり、（ａ）はディスクがディスク再生装置にセットされていない状態（以下ディスク待機状態) を、（ｂ）はディスクがディスク再生装置にセットされた状態（以下ディスク保持状態）をそれぞれ示している。
【０００４】
ディスク再生装置９０は、コンパクトディスク（ＣＤ）等のディスク１０の裏面にピットとして記録された音楽や映像等のデジタル情報を再生する装置であり、ディスク再生装置９０を構成する筐体２１内にはベース９２が設置され、このベース９２上に、ディスク１０を載置して回転動作を行なわせる載置部１３が配設されている。載置部１３はモータ１６のモータ回転軸１６１と連結されており、モータ回転軸１６１の回転中心線１６１ａはベース上面９２１に直交するようにモータ１６がベース９２に取り付けられている。そしてモータ１６の回転に伴って載置部１３が回転するようになっている。ベース９２の後部のディスク挿排方向から見た左右両端部には支持部１２８が形成され、支持部１２８の支持軸１２９には回転可能にクランプアーム１１が支持されている。クランプアーム１１にはクランプ挟持板１１１が鋲止めされていてクランプ１４がクランプアーム１１とクランプ挟持板１１１とにより緩く挟持され回転可能に配置されている。また、ベース９２の支持部１２８近傍、及びクランプアーム１１の後側部分に引っかけ部１２４，１１２がそれぞれ形成され、これらの引っかけ部１２４、１１２にコイルバネ１５が引っかけられ、クランプアーム１１が下方に付勢されている。筐体２１内部の前方にはディスク１０の出し入れを行なうディスク送り手段１９が配設されており、このディスク送り手段１９はローラ１９１とガイド板１９２などで構成されており、下側に配置されたローラ１９１には伝達手段を介してモータ( 図示せず）の回転が伝達されるようになっている。また、ローラ１９１はディスク１０の出し入れの際に上下に移動するようになっている。尚、待機時（図５（ａ））には、クランプアーム１１は図示しないカム機構が駆動することにより上方に持ち上げられている。
【０００５】
このように構成されたディスク再生装置９０において図５( ａ) に示したように、ディスク１０がディスク挿排口２１１から筐体２１の内部に挿入されると、図示しない第１の検知手段によりディスク１０が検知され、該第１の検知手段からの信号によりモータ（図示せず）が駆動されてローラ１９１が回転し、ディスク１０が筐体２１内に送り込まれる。ディスク１０が所定の位置まで送り込まれると、ディスク１０の先端が第２の検知手段（図示せず）に触れ、該第２の検知手段からの信号によりディスク送り手段１９のローラ１９１を含む下部が降下し、ディスク１０が載置部１３に載置され、それと共にカム機構によりクランプアーム１１を上方に持ち上げていた部材が移動しコイルバネ１５の力が作用するようになってクランプアーム１１が下方に回動し、図５（ｂ）に示すように、ディスク１０は確実に載置部１３上に保持、固定される。
【０００６】
ディスク１０に記録された情報を再生する際には、ディスク１０が回転させられ、図示しない光ピックアップがディスク１０の下面にピット( 図示せず）として記録された情報を読み取り、再生する。載置部１３に保持されたディスク１０を筐体２１より排出させる際には、カム機構によりクランプアーム１１が上方に駆動されると共に、ディスク送り手段１９のローラ１９１を含む下部が上昇し、ディスク１０がローラ１９１とガイド板１９２に挟持された後ローラ１９１が回転してディスク１０が筐体２１の外に排出される。
【０００７】
【発明が解決しようとする課題】
しかし、上述のディスク再生装置では載置されたディスク１０が面振れしている場合ディスク１０がベース上面９２１に接触する等の影響が出ることが考えられる。そこで、載置部１３の載置面１３１をベース上面９２１より所定の高さの段差をもって突出するようにするとディスク１０の接触は回避できるが、結局ガイド板１９２やローラ１９１等もこれに併せて高くする必要があるため、ディスク再生装置の高さが全体として高くなり薄型化に逆行するという課題があった。本発明は上記課題を鑑みなされたものであり、載置面１３１とベース上面９２１との段差を大きくせずに面振れの大きいディスク１０でもべースに接触しないディスク再生装置を提供することを目的としている。
【０００８】
【課題を解決するための手段】
本発明は上述の課題を達成するもので、ディスクを載置する載置部と、前記載置部を支持するベース部材と、を有し、前記載置部は、前記ベース部材のディスク対向面に対してディスク載置面が挿排口方向が下側になるように傾斜するように支持されており、前記載置部の回転中心線と当該ベース部材のディスク対向面の交点と当該ディスク対向面の挿排口の方向の先端縁部の距離は、前記交点と挿排口の逆側の後端縁部の距離よりも短いことを特徴とするものである。
【００１０】
【発明の実施の形態】
本発明の第１の実施の形態に係るディスク再生装置を図を用いて説明する。
【００１１】
図１はディスク再生装置の構造を示す構造図であって、（ａ）は平面図、（ｂ）はＡ−Ａ断面図、（ｃ）はモータ取付け部の拡大図、（ｄ）はＢ−Ｂ断面図である。
【００１２】
ディスク再生装置２０は、コンパクトディスク（ＣＤ）等のディスク１０の裏面にピットとして記録された音楽や映像等のデジタル情報を再生する装置であり、ディスク再生装置２０を構成する筐体２１内にはベース１２が設置され、このベース１２上に、ディスク１０を載置して回転動作を行なわせる載置部１３と光ピックアップ３０が配設されている。載置部１３の回転軸はモータ回転軸１６１と連結されており、モータ１６はベース１２のモータ取付け座１２５，１２６にネジで取り付けられている。モータ取付け座１２５はモータ取付け座１２６より高さｈ１だけ座高が高くなっており、モータ１６と載置部１３の結合体の回転中心線１６１ａはベース上面１２１に垂直な線に対しディスク挿排口２１１側（先端縁部１２３側）に傾き角度θで傾いている。そしてモータ１６の回転に伴いモータ回転軸１６１を中心として載置部１３が回転するように設置されている。光ピックアップ３０はガイドレール３２と移送ネジ３１とで、ディスク１０に向かって照射する光軸３０ａがディスク１０に垂直に当たるように保持されている。即ち、光軸３０ａがモータ１６の回転中心線１６１ａの傾きと同じ角度θで傾くよう、移送ネジ３１の位置がガイドレール３２の位置よりも高さｈ２だけ高く設定されている。
【００１３】
ベース１２の後部の左右両端部には支持部１２８が形成され、支持部１２８の支持軸１２９には回転可能にクランプアーム１１が支持されている。クランプアーム１１にはクランプ挟持板１１１が鋲止めされていてクランプ１４がクランプアーム１１とクランプ挟持板１１１とにより緩く挟持され回転可能に配置されている。また、ベース１２の支持部１２８の近傍、及びクランプアーム１１の後側部分に引っかけ部１２４，１１２がそれぞれ形成され、これらの引っかけ部１２４、１１２にコイルバネ１５が引っかけられ、クランプアーム１１が下方に付勢されている。筐体２１内部の前方にはディスク１０の出し入れを行なうディスク送り手段１９が配設されており、このディスク送り手段１９はローラ１９１とガイド板１９２などで構成されており、下側に配置されたローラ１９１には伝達手段を介してモータ( 図示せず）の回転が伝達されるようになっている。また、ローラ１９１はディスク１０の出し入れの際に上下に移動するようになっている。尚、待機時には、クランプアーム１１は図示しないカム機構が駆動することにより上方に持ち上げられている。
【００１４】
このように構成されたディスク再生装置２０において、ディスク１０がディスク挿排口２１１から筐体２１の内部に挿入されると、図示しない第１の検知手段によりディスク１０が検知され、該第１の検知手段からの信号によりモータが駆動されてローラ１９１が回転し、ディスク１０が筐体２１内に送り込まれる。ディスク１０が所定の位置まで送り込まれると、ディスク１０の先端が第２の検知手段（図示せず）に触れ、該第２の検知手段からの信号によりディスク送り手段１９のローラ１９１を含む下部が降下し、ディスク１０が載置部１３に載置され、それと共にカム機構によりクランプアーム１１を上方に持ち上げていた部材が移動しコイルバネ１５の力が作用するようになってクランプアーム１１が下方に回動し、図１（ｂ）に示したように、ディスク１０は確実に載置部１３上に保持、固定される。
【００１５】
ディスク１０に記録された情報を再生する際には、ディスク１０が回転させられ、光ピックアップ３０がディスク１０下面にピット( 図示せず）として記録された情報を読み取り、再生する。載置部１３に保持されたディスク１０を筐体２１より排出させる際には、カム機構によりクランプアーム１１が上方に駆動されると共に、ディスク送り手段１９のローラ１９１を含む下部が上昇し、ディスク１０がローラ１９１とガイド板１９２に挟持された後ローラ１９１が回転してディスク１０が筐体２１の外に排出される。
【００１６】
次ぎにディスク１０とベース上面１２１との間隙の寸法関係について図を用いて説明する。図２はディスクとベースの間隙についての説明図である。ディスク再生装置２０はディスク挿排口２１１側にディスク挿排手段１９が配置されているため載置部１３はディスクの挿排方向から見てベース１２の中央よりもディスク挿排口２１１側に偏在している。即ち、ディスク挿排口２１１側のベース１２の先端縁部１２３からベース上面１２１における載置部１３の回転中心線１２１ａまでの水平距離Ｋよりもベース１２の後端縁部１２２から載置部１３の回転中心線１６１ａまでの水平距離Ｌの方が長くなっている。
【００１７】
一方、ディスク１０の面振れ（ディスクの下面の軸方向の周期的な変動）はディスクの中心から外周辺に向かう程大きくなる。即ち後端縁部１２２側程ディスク１０の面振れの影響は大きくなる。そこで、図２に示すように載置部１３とこれに連結したモータ１６の回転中心線１６１ａの上方を水平距離の短い側、即ち、挿排口２１１側（先端縁部１２３側）に角度θ傾斜させて配置するようにしている。また、ベース先端縁部１２３とディスク１０の下面とのディスク面に垂直な方向の間隙をＥ，載置面１３１からベース上面１２１と回転中心線１６１ａの交点１２１ａまでの段差をＪ、ベース後端縁部１２２とディスク１０の下面とのディスク面に垂直な方向の間隙をＦとすると、間隙Ｆは（1 ）式となり、段差Ｊは（２）式となる。
【００１８】
Ｆ＝Ｅ＋（Ｋ＋Ｌ）・ｓｉｎθ・・・・・・・・・（１）
Ｊ＝Ｅ＋Ｋ・ｓｉｎθ・・・・・・・・・・・・・（２）
Ｆ＝Ｊ＋Ｌ・ｓｉｎθ・・・・・・・・・・・・・（３）
したがって、間隙Ｆは段差ＪよりＬ・ｓｉｎθだけ高く設定されている（（3 ）式）。つまり、間隙Ｆはディスク１０の面振を考慮して従来より高くし、段差Ｊは従来の高さにし、間隙Ｅは従来より低くすることができる。即ち、水平距離Ｌは水平距離Ｋより長く後端縁部１２２はディスクの外周辺に近いので、間隙Ｆは従来より大きい距離を確保しておき、先端縁部１２３は後端縁部１２２よりもディスク外周辺から遠いので間隙Ｅを短くしても面振の影響はない。そして本実施の形態のディスク再生装置２０においては、ディスク挿排出口２１１側（先端縁部１２３側）にはディスク送り手段１９があって空きスペースがあり、また、後端縁部１２２の近傍におけるディスク１０の上面にも空きスペースがあるのでディスク１０の挿排出口２１１側（先端縁部１２３側）を下げて、ディスクの１０の後端縁部１２２側をあげることができる。つまり間隙Ｆは従来よりも大きくなるが空きスペースを利用しており、ディスク再生装置２０全体を高くする必要はない。
【００１９】
尚、ベース１２に対してモータ回転軸１６１を傾ける方法としてモータ取付け座１２５，１２６の座高を異にする構造を示したが、図３の第２の実施の形態に示すようにベース上面１２１に対しベース１２の後端縁部１２２よりほぼ中央までは水平面（筐体２１と平行面）で、そこからベース先端縁部１２３にかけて先端縁部１２３側が低くなる傾斜面を形成しても前記効果が得られる。このようにベース１２自体を傾ければ光ピックアップ３０も同じように傾けることができるのでモータ１６、光ピックアップ３０それぞれに角度調整をする必要がない。
【００２０】
また、図４に示すように載置部１３の載置面１３１をディスク挿排口２１１側（先端縁部１２３側）に向かって低くなるように傾けるとディスク１０を排出するときディスク１０が載置部１３の肩部１３２に引っ掛かりにくくなる効果もある。
【００２１】
以上は載置部１３が先端縁部１２３に近い側に偏在している場合の説明をしたが載置部１３が後端縁部１２２側に偏在している場合はモータ１６の回転中心線１６１ａの上方を後端縁部１２２側に傾け、即ち、回転中心線１６１ａの上方をディスク挿排口から遠ざかる側に傾け、間隙Ｅを大きくし、間隙Ｆを小さくして、同時に光ピックアップ３０の光軸３０ａをモータ１６の回転中心線１６１ａと平行にするとよい。
【００２２】
【発明の効果】
以上説明したように本発明によれば、ディスク再生装置の全体の高さは従来のままで、ベースとディスクとの間に必要な間隙を確保することができる。
【図面の簡単な説明】
【図１】本発明の第１の実施の形態に係るディスク再生装置の構造を示す構造図であって、（ａ）は平面図、（ｂ）はＡ−Ａ断面図、（ｃ）はモータ取付け部の拡大図、（ｄ）はＢ−Ｂ断面図である。
【図２】ディスクとベースとの間隙についての説明図である。
【図３】本発明の第２の実施の形態に係るディスク再生装置の構造を示す構造図である。
【図４】ディスク排出時の状態を示す状態図である。
【図５】従来のディスク再生装置の構造を示す構造図である。
【符号の説明】
１０・・・・・ディスク
１２，９２・・ベース
１３・・・・・載置部
１６・・・・・モータ
２１・・・・・筐体
３０・・・・・光ピックアップ
１３１・・・・載置面
１６１・・・・モータ回転軸
２１１・・・・ディスク挿排口
【図１】
0004073594.tif 000002
【図２】
0004073594.tif 000003
【図３】
0004073594.tif 000004
【図４】
0004073594.tif 000005
【図５】
0004073594.tif 000006